(57)【要約】【課題】装着時のオムツ部の密着性を向上し、排泄物の外部への漏れを防ぐことができる自動排泄物処理装置及びこの装置で使用する介護オムツ部を提供すること。【解決手段】見かけ密度３０ｋｇ／ｍ３以下（ＪＩＳ  Ｋ７２２２による）、硬さ（４０％）２００Ｎ以下（ＪＩＳ  Ｋ６４００−２による）、伸び１５０％以下（ＪＩＳ  Ｋ６４００−５による）、圧縮残留歪（７５％）１５％以下（ＪＩＳ  Ｋ６４００−４による）の軟質発泡性合成樹脂で形成されるクッション材を、ゴム系材質で形成される外側部材に貼り付け、ゴム系材質で形成される肌側部材を、前記クッション材を覆うように前記外側部材に貼り付けることを特徴とする自動排泄物処理装置及びこの装置で使用する介護オムツ部とする。【選択図】図３
2012019936.tif 000002
【特許請求の範囲】
【請求項１】
人が装着し排泄物を収容するための介護オムツ部、該介護オムツ部内に洗浄水を供給し、該介護オムツ部内の排泄物を収集する排泄物処理タンク、及び該介護オムツ部と該排泄物処理タンクを接続する接続手段を備える自動排泄物処理装置及びこの装置で使用する介護オムツ部において、
前記介護オムツ部が、一時的に排泄物を収容するための収容トレー、排泄物や洗浄水の漏れを防止するためのカップ部、及び該カップ部を体に固定させるためのベルト部を備え、
前記収容トレーが、前記カップ部の内側に取り付けられ、また前記排泄物処理タンクに接続するための接続口を備え、
前記カップ部が、肌側部材と外側部材の２層が接着された構造を備え、また肌側の前記収容トレー周囲に突起部を備え、
前記突起部は、前記肌側部材と前記外側部材の２層の間にクッション材を備えることでなり、
前記クッション材が、見かけ密度３０ｋｇ／ｍ３以下（ＪＩＳ  Ｋ７２２２による）、硬さ（４０％）２００Ｎ以下（ＪＩＳ  Ｋ６４００−２による）、伸び１５０％以下（ＪＩＳ  Ｋ６４００−５による）、圧縮残留歪（７５％）１５％以下（ＪＩＳ  Ｋ６４００−４による）の軟質発泡性合成樹脂で形成され、
前記ベルト部が、臍下付近を覆う腹当て部及び臀部を覆う背当て部を備えることを特徴とする自動排泄物処理装置及びこの装置で使用する介護オムツ部。
【請求項２】
前記カップ部の前記肌側部材が、伸び４００％以上（ＪＩＳ  Ｋ６２５１による）のゴム系素材で形成され、前記外側部材が、伸び３００％以上（ＪＩＳ  Ｋ６２５１による）のゴム系素材で形成されることを特徴とする請求項１記載の自動排泄物処理装置及びこの装置で使用する介護オムツ部。
【請求項３】
前記クッション材下面と前記外側部材上面とが固定され、前記肌側部材下面と前記外側部材上面とが接着剤によって接着されていることを特徴とする請求項１又は２記載の自動排泄物処理装置及びこの装置で使用する介護オムツ部。
【請求項４】
前記外側部材が、表面に伸縮性の化学繊維の編み体を備えることを特徴とする請求項１乃至３いずれかに記載の自動排泄物処理装置及びこの装置で使用する介護オムツ部。
【請求項５】
前記肌側部材が、表面に撥水加工を備えることを特徴とする請求項１乃至４いずれかに記載の自動排泄物処理装置及びこの装置で使用する介護オムツ部。
【請求項６】
前記収容トレー内の排泄物を検知するためのセンサを備えることを特徴とする請求項１乃至５いずれかに記載の自動排泄物処理装置及びこの装置で使用する介護オムツ部。
【請求項７】
一時的に排泄物を収容するための収容トレー、排泄物や洗浄水の漏れを防止するためのカップ部、及び該カップ部を体に固定させるためのベルト部を備え、
前記収容トレーが、前記カップ部の内側に取り付けられ、また前記排泄物処理タンクに接続するための接続口を備え、
前記カップ部が、肌側部材と外側部材の２層が接着された構造を備え、また肌側の前記収容トレー周囲に突起部を備え、
前記突起部は、前記肌側部材と前記外側部材の２層の間にクッション材を備えることでなり、
前記クッション材が、見かけ密度３０ｋｇ／ｍ３以下（ＪＩＳ  Ｋ７２２２による）、硬さ（４０％）２００Ｎ以下（ＪＩＳ  Ｋ６４００−２による）、伸び１５０％以下（ＪＩＳ  Ｋ６４００−５による）、圧縮残留歪（７５％）１５％以下（ＪＩＳ  Ｋ６４００−４による）の軟質発泡性合成樹脂で形成されることを特徴とする介護オムツ部。
【発明の詳細な説明】
【技術分野】
【０００１】
本発明は、病院等における歩行不能な病人又は寝たきりの老人に好適な自動排泄物処理装置及びこの装置で使用する介護オムツ部に関する。
【背景技術】
【０００２】
歩行不能な病人又は寝たきりの老人等の排泄時の介護を要する人には、オシメを使用して排泄物を処理したりしていた。しかし、オシメを用いると、介護者は肉体的にもきつく且つ時間的にも制約され大変である。また被介護者も羞恥心を覚えたりするものである。そこで最近では、各種の排泄物処理システムが使用されている。例えば、使用者の股間にあてがわれる収容カップを有する介護オムツと、前記収容カップとホースを介して接続され、収容カップ内部の排泄物を吸引する排泄物吸引装置とを備える排泄物処理装置が知られている。
【０００３】
この種の排泄物処理装置では、収容カップの周囲を縁取るように伸縮性を有する漏れ防止材を備えることで、収容カップ内の排泄物などが外部に漏れることを防止していた。
【０００４】
特許文献１には、収容カップの周囲に弾力性及び伸縮性を有する漏れ防止部材を設け、この漏れ防止部材を介して腹当て部材と背当て部材とを連結する介護用オムツが開示されている。
【０００５】
しかし、装着時に漏れ防止部材が曲げられることで、曲げ部内側表面にシワが生じそこから排泄物が漏れる懸念があった。また、排泄物の吸引残がオムツ内側表面に残り、使用者が不快感を覚える懸念もあった。
【０００６】
特許文献２には、収容カップの周囲に漏れ防止部材が配置され、漏れ防止部材は、弾力性を有するクッション材を、防水性を有する外面材で包むことによって形成されている排泄物処理システムが開示されている。
【０００７】
しかし、これもまた、装着時に漏れ防止部材が曲げられることで、曲げ部内側表面にシワが生じそこから排泄物が漏れる懸念は解消されない。
【先行技術文献】
【特許文献】
【０００８】
【特許文献１】特開２００９−０３９４０５号公報
【特許文献２】特開２００５−３３４５６２号公報
【発明の概要】
【発明が解決しようとする課題】
【０００９】
本発明は、上記課題を改善するためになされたものであり、装着時のオムツ部の密着性を向上し、排泄物の外部への漏れを防ぐことができる自動排泄物処理装置及びこの装置で使用する介護オムツ部を提供するものである。
【課題を解決するための手段】
【００１０】
請求項１に係る発明は、人が装着し排泄物を収容するための介護オムツ部、該介護オムツ部内に洗浄水を供給し、該介護オムツ部内の排泄物を収集する排泄物処理タンク、及び該介護オムツ部と該排泄物処理タンクを接続する接続手段を備える自動排泄物処理装置及びこの装置で使用する介護オムツ部において、
前記介護オムツ部が、一時的に排泄物を収容するための収容トレー、排泄物や洗浄水の漏れを防止するためのカップ部、及び該カップ部を体に固定させるためのベルト部を備え、
前記収容トレーが、前記カップ部の内側に取り付けられ、また前記排泄物処理タンクに接続するための接続口を備え、
前記カップ部が、肌側部材と外側部材の２層が接着された構造を備え、また肌側の前記収容トレー周囲に突起部を備え、
前記突起部は、前記肌側部材と前記外側部材の２層の間にクッション材を備えることでなり、
前記クッション材が、見かけ密度３０ｋｇ／ｍ３以下（ＪＩＳ  Ｋ７２２２による）、硬さ（４０％）２００Ｎ以下（ＪＩＳ  Ｋ６４００−２による）、伸び１５０％以下（ＪＩＳ  Ｋ６４００−５による）、圧縮残留歪（７５％）１５％以下（ＪＩＳ  Ｋ６４００−４による）の軟質発泡性合成樹脂で形成され、
前記ベルト部が、臍下付近を覆う腹当て部及び臀部を覆う背当て部を備えることを特徴とする自動排泄物処理装置及びこの装置で使用する介護オムツ部に関する。
【００１１】
請求項２に係る発明は、前記カップ部の前記肌側部材が、伸び４００％以上（ＪＩＳ  Ｋ６２５１による）のゴム系素材で形成され、前記外側部材が、伸び３００％以上（ＪＩＳ  Ｋ６２５１による）のゴム系素材で形成されることを特徴とする請求項１記載の自動排泄物処理装置及びこの装置で使用する介護オムツ部に関する。
【００１２】
請求項３に係る発明は、前記クッション材下面と前記外側部材上面とが固定され、前記肌側部材下面と前記外側部材上面とが接着剤によって接着されていることを特徴とする請求項１又は２記載の自動排泄物処理装置及びこの装置で使用する介護オムツ部に関する。
【００１３】
請求項４に係る発明は、前記外側部材が、表面に伸縮性の化学繊維の編み体を備えることを特徴とする請求項１乃至３いずれかに記載の自動排泄物処理装置及びこの装置で使用する介護オムツ部に関する。
【００１４】
請求項５に係る発明は、前記肌側部材が、表面に撥水加工を備えることを特徴とする請求項１乃至４いずれかに記載の自動排泄物処理装置及びこの装置で使用する介護オムツ部に関する。
【００１５】
請求項６に係る発明は、前記収容トレー内の排泄物を検知するためのセンサを備えることを特徴とする請求項１乃至５いずれかに記載の自動排泄物処理装置及びこの装置で使用する介護オムツ部に関する。
【００１６】
請求項７に係る発明は、一時的に排泄物を収容するための収容トレー、排泄物や洗浄水の漏れを防止するためのカップ部、及び該カップ部を体に固定させるためのベルト部を備え、
前記収容トレーが、前記カップ部の内側に取り付けられ、また前記排泄物処理タンクに接続するための接続口を備え、
前記カップ部が、肌側部材と外側部材の２層が接着された構造を備え、また肌側の前記収容トレー周囲に突起部を備え、
前記突起部は、前記肌側部材と前記外側部材の２層の間にクッション材を備えることでなり、
前記クッション材が、見かけ密度３０ｋｇ／ｍ３以下（ＪＩＳ  Ｋ７２２２による）、硬さ（４０％）２００Ｎ以下（ＪＩＳ  Ｋ６４００−２による）、伸び１５０％以下（ＪＩＳ  Ｋ６４００−５による）、圧縮残留歪（７５％）１５％以下（ＪＩＳ  Ｋ６４００−４による）の軟質発泡性合成樹脂で形成されることを特徴とする介護オムツ部に関する。
【発明の効果】
【００１７】
請求項１に係る発明によれば、装着時に漏れ防止用突起部の曲げ内側表面にシワが寄ることがなく、オムツ部と肌の密着性を向上することができる自動排泄物処理装置及びこの装置で使用する介護オムツ部を提供することができる。
【００１８】
請求項２に係る発明によれば、肌側部材に外側部材よりも高伸長性のゴム系素材を使用することで、肌側部材を伸長した状態で貼り付ける際に貼り合わせが容易であり、且つシワが寄ることがない自動排泄物処理装置及びこの装置で使用する介護オムツ部を提供することができる。
【００１９】
請求項３に係る発明によれば、肌側部材と外側部材とを接着剤で固定する前に、外側部材と外側部材よりも低伸長性のクッション材とを固定することにより、肌側部材にシワが寄ることがなく、オムツ部と肌の密着性を向上することができる自動排泄物処理装置及びこの装置で使用する介護オムツ部を提供することができる。
【００２０】
請求項４に係る発明によれば、外観を向上すること及びカップ部の強度を保つことができる自動排泄物処理装置及びこの装置で使用する介護オムツ部を提供することができる。
【００２１】
請求項５に係る発明によれば、肌側部材表面に排泄物が付着、残留することを防ぎ、それにより使用者の肌への付着も防ぐことができ、使用者の快適さを向上することができる自動排泄物処理装置及びこの装置で使用する介護オムツ部を提供することができる。
【００２２】
請求項６に係る発明によれば、オムツ部内の排泄物を検知して吸引することで、使用者の肌への排泄物の付着を防ぎ、使用者の快適さを向上することができる自動排泄物処理装置及びこの装置で使用する介護オムツ部を提供することができる。
【００２３】
請求項７に係る発明によれば、装着時に漏れ防止用突起部の曲げ内側表面にシワが寄ることがなく、オムツ部と肌の密着性を向上することができる介護オムツ部を提供することができる。
【図面の簡単な説明】
【００２４】
【図１】本発明に係る自動排泄物処理装置及びこの装置で使用する介護オムツ部の概略図である。
【図２】介護オムツ部の構成を説明するための図である。
【図３】カップ部の構造を説明するための図である。（ａ）正面図、（ｂ）上面図、（ｃ）右側面図、（ｄ）背面図、（ｅ）縦断面図、（ｆ）横断面図、（ｇ）部分詳細図を示す。
【図４】ベルト部の構造を説明するための図である。（ａ）正面図、（ｂ）背面図を示す。
【図５】装着時の外観を表す、及び収容トレーの構造を説明するための図である。
【図６】本発明の効果を説明するための図である。（ａ）本発明の装着時の肌密着部、（ｂ）従来課題となっていた装着時の肌密着部を示す。
【発明を実施するための形態】
【００２５】
以下、本発明に係る自動排泄物処理装置及びこの装置で使用する介護オムツ部について、図面を参照しながら説明する。
【００２６】
図１は、本発明の実施形態に係る自動排泄物処理装置１の構成を示す図である。この図１に示すように、自動排泄物処理装置１は、使用者６の腰臀部に装着される介護オムツ部２と、介護オムツ部２の内部を洗浄するために温水等の洗浄水を供給するため及び介護オムツ部２の内部の排泄物を吸引するための排泄物処理タンク４とを備える。
介護オムツ部２と排泄物処理タンク４は、排泄物吸引ホース５１及び洗浄水ホース５２により接続される。排泄物処理タンク４は、洗浄水ホース５２を介して介護オムツ部２内に洗浄水例えば温水を供給し、排泄物吸引ホース５１を介して介護オムツ部２内部の排泄物及び洗浄水を吸引する。自動排泄物処理装置１は、介護オムツ部２と排泄物処理タンク４とを接続し、温風を介護オムツ部２内に送風し乾燥させるための温風送風ホース５３を備えても良い。
【００２７】
図２は、介護オムツ部２の構成を説明するための図である。図２に示すように、股間にあてがい排泄物や洗浄水の漏れを防止するためのカップ部２２の内部に、一時的に排泄物を収容する収容トレー２１が接着剤等で固定される。
収容トレー２１は、図２紙面奥行き方向に空間を有している。
ベルト部２３は、カップ部２２に面ファスナーにより固定される。
【００２８】
図３は、カップ部２２の構造を説明するための図である。図３に示すように、カップ部２２は、肌側部材２２１と外側部材２２２の２層が接着された構造を備える。
カップ部２２は、必要に応じ内部に膨出部２２４を備える。膨出部２２４は、装着時外側に飛び出しており、装着時内側は男性の陰部を考慮し凹んでいる。カップ部２２内部にはまた、穴部２２５を備える。穴部２２５は収容トレー２１を取り付けそこに排泄物を収容するためのものである。
【００２９】
外側部材２２２外側表面は、肌触りの改善のため、あるいは外観のため、更にはカップ部２２の強度を保つためにナイロンジャージ２２２ａがラミネートされている。ナイロンジャージ２２２ａは使用者の肌への親和性をよくするために用いる。この発明において、伸縮性の化学繊維の編み体としては、他の編み体、例えばポリエステル、ポリウレタン製の編み体を使用しても良い。
ナイロンジャージ２２２ａ表面には、ベルト部２３を固定するための面ファスナー２２６が熱圧着などの手段で設けられる。ナイロンジャージ２２２ａは、ナイロン１００％、天竺編みのものを使用することが好ましい。
外側部材２２２及び膨出部２２４は、ゴム系素材、例えばクロロプレンゴムで形成され、その物性は伸び３００％以上であることが望ましい。この発明の実施例において、伸び３００％以上とする理由は、被介護者の体の動きに追随してオムツ部２が自由に変形できる強度を必要とするからである。尚このゴム系素材の他の物性は、硬度Ａｓｋｅｒ  Ｔｙｐｅ  ＣＳＣ２  ２８〜５５（旧ＳＲＩＳ−０１０１による）、密度０．１８〜０．２７ｇ／ｃｍ３（水中置換法による）、引張り強さ０．７０ＭＰａ以上（ＪＩＳ  Ｋ６２５１による）、２５％圧縮荷重３〜８ｋＰａ（ＪＩＳ  Ｋ６７６７による）であるのが望ましい。
この発明において、クロロプレンゴム等のゴム系素材の硬度Ａｓｋｅｒ  Ｔｙｐｅ  ＣＳＣ２  ２８〜５５（旧ＳＲＩＳ−０１０１による）とする理由は、硬度２８未満のものは貼り合わせ時の作業性が悪く、硬度５５を超える硬いものは人体になじまず好ましくないからである。
この発明において、密度０．１８〜０．２７ｇ／ｃｍ３（水中置換法による）とする理由は、密度０．１８ｇ／ｃｍ３未満の場合柔らかくなりすぎて充分な弾性反発力が得られず、逆に０．２７ｇ／ｃｍ３を超えると硬くなりすぎて人体になじまないというこの発明者らの実験的知得に基づくものである。
この発明において、引張り強さ０．７０ＭＰａ以上（ＪＩＳ  Ｋ６２５１による）とする理由は、繰り返しの使用に耐えうる強度を必要とするからである。
この発明において２５％圧縮荷重３ｋＰａ（ＪＩＳ  Ｋ６７６７による）以上とする理由は、突起部２２３が簡単につぶれて排泄物が漏れやすくならないようにするためであり、一方２５％圧縮荷重８ｋＰａ（ＪＩＳ  Ｋ６７６７による）以下とする理由は、介護者の腰部の一部が部分的に介護オムツ部２に圧縮荷重をかけた際、肌に当たる感触が硬すぎても寝心地が悪くなるからである。
この発明において、他のゴム系素材としては、エチレンプロピレンゴム、アクリロニトリルブタジエンゴム、ブチルゴム、スチレンブタジエンゴム、イソプレンゴム、エチレン酢酸ビニルコポリマーが列記でき好適に使用できる。
【００３０】
肌側部材２２１は、装着時肌側の、膨出部２２４と穴部２２５の周囲に突起部２２３を備える。突起部２２３は、装着時の使用者との密着性を高めるためのものである。肌側部材２２１及び突起部２２３は、外側部材２２２と物性の異なるゴム系素材例えばクロロプレンゴムで形成され、その物性は伸び４００％以上とするのが望ましい。この発明において、伸び４００％以上（ＪＩＳ  Ｋ６２５１による）とする理由は、被介護者の体の動きに追随して介護オムツ部２が自由に変形できる強度を必要とするからである。また肌側部材２２１の物性が伸び４００％以上であることにより、外側部材２２１よりも伸びが大きく装着時に締まって密着性を向上させる。尚このゴム系素材の他の物性は、硬度Ａｓｋｅｒ  Ｔｙｐｅ  ＣＳＣ２  ２０〜４０（旧ＳＲＩＳ−０１０１による）、密度０．２０〜０．２６ｇ／ｃｍ３（水中置換法による）、引張り強さ０．７０ＭＰａ以上（ＪＩＳ  Ｋ６２５１による）、２５％圧縮荷重３〜７ｋＰａ（ＪＩＳ  Ｋ６７６７による）であるのが望ましい。
この発明において、肌側部材２２１及び突起部２２３のゴム系素材例えばクロロプレンゴムの硬度Ａｓｋｅｒ  Ｔｙｐｅ  ＣＳＣ２  ２０〜４０（旧ＳＲＩＳ−０１０１による）とする理由は、硬度２０未満のものは貼り合わせ時の作業性が悪く、硬度４０を超える硬いものは人体になじまず好ましくないからである。
この発明において、密度０．２０〜０．２６ｇ／ｃｍ３（水中置換法による）とする理由は、密度０．２０ｇ／ｃｍ３未満の場合柔らかくなりすぎて充分な弾性反発力が得られず、逆に０．２６ｇ／ｃｍ３を超えると硬くなりすぎて肌になじまないというこの発明者らの実験的知得に基づくものである。
この発明において、引張り強さ０．７０ＭＰａ以上（ＪＩＳ  Ｋ６２５１による）とする理由は、繰り返しの使用に耐えうる強度を必要とするからである。
この発明において２５％圧縮荷重３ｋＰａ（ＪＩＳ  Ｋ６７６７による）以上とする理由は、突起部２２３が簡単につぶれて排泄物が漏れやすくならないようにするためであり、一方２５％圧縮荷重７ｋＰａ（ＪＩＳ  Ｋ６７６７による）以下とする理由は、介護者の腰部の一部が部分的に介護オムツ部２に圧縮荷重をかけた際、肌に当たる感触が硬すぎても寝心地が悪くなるからである。
また、肌側部材２２１表面には、撥水加工が施され、肌側部材２２１表面に排泄物が付着、残留することを防ぎ、それにより使用者の肌への付着も防ぐことができる。
【００３１】
カップ部２２の突起部２２３は、クッション材２２７が外側部材２２２と両面テープなどの非伸縮性基材２２８とその両面に設けられた接着剤によって固定され、肌側部材２２１が外側部材２２２と接着剤２２９によってクッション材２２７を覆うように固定されることでなる。クッション材２２７は、軟質発泡性合成樹脂で形成され、物性は、見かけ密度３０ｋｇ／ｍ３以下（ＪＩＳ  Ｋ７２２２による）、硬さ（４０％）２００Ｎ以下（ＪＩＳ  Ｋ６４００−２による）、伸び１５０％以下（ＪＩＳ  Ｋ６４００−５による）、圧縮残留歪（７５％）１５％以下（ＪＩＳ  Ｋ６４００−４による）であるのが望ましい。
この発明においてクッション材の見かけ密度３０ｋｇ／ｍ３以下（ＪＩＳ  Ｋ７２２２による）とする理由は、この密度を超えると被介護者が動きにくくなるためである。
この発明においてクッション材の硬さ（４０％）２００Ｎ以下（ＪＩＳ  Ｋ６４００−２による）とする理由は、この硬さを超えると充分なクッション効果が得られないためである。
この発明において伸び１５０％以下（ＪＩＳ  Ｋ６４００−５による）とする理由は、人体の動きに容易に追随せず伸びすぎないようにするのが望ましいからである。
この発明において圧縮残留歪（７５％）１５％以下（ＪＩＳ  Ｋ６４００−４による）とする理由は、好適な反発弾性を有する必要があるからである。
この発明において好適に使用できるクッション材の材質としては、軟質発泡性合成樹脂例えば軟質ポリウレタンフォーム、軟質ポリスチレンフォーム、軟質ポリエチレンフォーム、軟質ポリプロピレンフォーム等の軟質発泡性合成樹脂が列挙できる。
【００３２】
クッション材２２７は、外側部材２２２に両面に接着剤が設けられた非伸縮性基材２２８例えば両面テープを介して固定される。その外側部材２２２とクッション材２２７の組立物を、両面テープ等で平板等に固定して平面状に維持し、肌側部材２２１を伸長した状態で接着剤２２９を介して前記組立物に固定する。肌側部材２２１が伸長された状態で固定されるので、曲げ内側表面にシワ７が生じにくい（図６．（ａ）、（ｂ）参照）。
【００３３】
図４は、ベルト部２３の構造を説明するための図である。図４で示すように、ベルト部２３は、腹当て部２３１、背当て部２３２、穴部２３３及び面ファスナー２３４を備える。面ファスナー２３４はカップ部２２との固定、背当て部２３２同士の固定、及び背当て部２３２と腹当て部２３１の固定に用いられる。図４において、ハッチング部はすべて面ファスナー２３４である。
【００３４】
図５は、装着時の外観を表す、及び収容トレーの構造を説明するための図である。図５で示すように、介護オムツ部２を装着する際は、収容トレー２１を股間にあてがい、背中側からベルト部２３の左右の背当て部２３２を腹側にもってくることにより面ファスナー２３４を互いに固定する。さらにベルト部２３の腹当て部２３１を臍側へ持ち上げることにより腹当て部２３１の面ファスナー２３４と背当て部２３２の面ファスナー２３４を互いに固定する。収容トレー２１は、排泄物処理タンク４に接続するための接続口２１１を備える。接続口２１１の１つは、図１で示される洗浄水ホース５２により排泄物処理タンク４と接続され、介護オムツ部２内に洗浄水が供給される。接続口２１１の他の１つは、図1で示される排泄物吸引ホース５１により排泄物収集タンク４と接続され、介護オムツ部２内の排泄物が吸引される。温風を介護オムツ部２内に送風し乾燥させるための温風送風ホース５３を備えても良い。また、排泄物の存在を検知するためのセンサを備えている。
【００３５】
図６は、本発明の効果を説明するための図である。図１−５に示す本発明に係る自動排泄物処理装置１及びこの装置で使用する介護オムツ２を使用することで、カップ部２２を曲げて装着する際に、図６（ｂ）で示すように従例の如く漏れ防止部材の曲げ部のシワ７が生じず、肌との密着性が向上し、外部へ排泄物が漏れるのを防ぐことができる（図６（ａ））。更に、万が一排泄物及び洗浄水が何らかの事情により突起部２２３より漏洩したとしても、カップ部２２の突起部２２３より外側の部分がゴム系素材から構成されているので人体に密着し、この素材の効果でも排泄物及び洗浄水の飛散を防止することができる。
【産業上の利用可能性】
【００３６】
本発明は、病院等における歩行不能な病人又は寝たきりの老人に対して好適に利用される。
【符号の説明】
【００３７】
１        自動排泄物処理装置及びこの装置で使用する介護オムツ
２        介護オムツ部
２１      収容トレー
２１１    接続口
２２      カップ部
２２１    肌側部材
２２２    外側部材
２２２ａ  ナイロンジャージ
２２３    突起部
２２４    膨出部
２２５    穴部
２２６    面ファスナー
２２７    クッション材
２２８    非伸縮性基材
２２９    接着剤
２３      ベルト部
２３１    腹当て部
２３２    背当て部
２３３    穴部
２３４    面ファスナー
４        排泄物処理タンク
５１      排泄物吸引ホース
５２      洗浄水ホース
５３      温風送風ホース
６        使用者
７        シワ
【図１】
2012019936.tif 000003
【図２】
2012019936.tif 000004
【図３】
2012019936.tif 000005
【図４】
2012019936.tif 000006
【図５】
2012019936.tif 000007
【図６】
2012019936.tif 000008